(57)【要約】【課題】簡単に作成でき、特別な設備対応の必要がなく生産でき、輸送時や保管時に邪魔にならず、しかも陳列時の箱の破損や脱落を防止できる、包装箱を提供する。【解決手段】複数の側面と、糊代と、いずれかの側面から延出した天面と、底面を備えた包装箱であって、側面及び天面間の折り曲げ罫線から当該側面に設けられた易破断部によって切り起し可能な吊下げ片を備え、該吊下げ片は吊り穴から外側に向けて破断可能な破断線を備えたものである。【選択図】図１
2014139087.tif 000002
【特許請求の範囲】
【請求項１】
複数の側面と、糊代と、いずれかの側面から延出した天面と、底面を備えた包装箱であって、
側面及び天面間の折り曲げ罫線から当該側面に設けられた易破断部によって切り起し可能な吊下げ片を備え、
該吊下げ片は吊り穴から外側に向けて破断可能な破断線を備えたことを特徴とする包装箱。
【請求項２】
複数の側面と、糊代と、いずれかの側面から延出した天面と、底面を備えた包装箱であって、
天面の罫線から補強部を介して側面に設けられた易破断部によって切り起し可能な吊下げ片を備え、
吊下げ片は吊り穴から外側に向けて破断可能な破断線を備えたことを特徴とする包装箱。
【請求項３】
複数の側面と、糊代と、いずれかの側面から延出した天面と、底面を備えた包装箱であって、
天面の端縁に向けて設けられた易破断部によって切り起し可能な吊下げ片を備え、
吊下げ片は吊り穴から外側に向けて破断可能な破断線を備えたことを特徴とする包装箱。
【請求項４】
吊下げ片に設けた吊り穴と破断可能なミシン線、或いはハーフカット線等の破断線の間に破断誘導部を設けたことを特徴とする請求項１から３のうちの１項に記載の包装箱。
【発明の詳細な説明】
【技術分野】
【０００１】
本発明は展示用等の吊下げ可能な包装箱に関する。
【背景技術】
【０００２】
吊下げ可能な包装箱（カートン）において、店頭にて吊下げ陳列時に下方向に引っぱられた場合、引っぱられる力により吊下げ片の根元よりカートンが破れてしまい、商品価値が消失してしまうことが問題となっている。
【０００３】
また、吊下げを容易にするために吊り穴上部に切り欠けを設けてあるものもあるが、陳列時や取り外し時に意図せずにフックから脱落し、商品を破損することが問題となっている。
【０００４】
包装箱に関し、その一部を切り起こして吊下げ片を形成する構成として、生産、輸送時には吊下げ片が箱の一部となり、吊下げ展示の場合には吊下げ片を引き起こせるようにし、生産にて特別な設備対応を必要とせず、輸送、保管時、正立陳列する場合に、吊り片が邪魔になったり、折損することがないようにしたものは周知である（実開平７−１７７２０号公報：特許文献１）。
【０００５】
その他、ワイシャツ等の包装箱に関し、透孔に棒を通して吊るす包装箱が提案されている（実公昭４７−３６５０５号公報：特許文献２）。この包装箱では、吊下げ用の透孔に切り込みを設けている。この包装箱は、樹脂製の弾性の強いものであるので切り欠きが設けられていると考えられ、ミシン線と異なる。ミシン線では、意図的に引っ張らない限りはずれることはないが、切り欠きの場合、弾性的にはずんで意図せずに落下する場合がある。
【０００６】
また、箱体を吊下げるフラップ片を有し、フラップ片に切り欠きや切り込み線の有る吊下げ用包装箱が提案されている（特開平１０−７７０２９号公報：特許文献３）。この包装箱では、吊下げを容易にすることを目的としているが、切り込み線は穴の横側に設置されており、縦に切り込み線を設けたのとは効果が異なり、それと共に、切り込み線が横のため、下方に引っ張られた際に容易にフックから外れない。また、提案のミシン線と異なり、切り込み、切り欠きとなっており、意図せずに落下する虞がある。
【０００７】
また、対になる舌片に互いに対向する位置にガイド溝を形成し、トレーの鍔を密着させた際にそれぞれガイド溝の開口部を閉塞させる物品収納装置が提案されている（特開２００５−９６８０１号公報：特許文献４）。フックによりそれぞれの舌片を押し広げて取り付け、取外しを行うものである。
【０００８】
この物品収納装置においては、対になるトレーのそれぞれ舌片をガイド溝が閉塞するように形成させており、樹脂の柔軟性を利用して取り付け、取外しを容易にしているが、紙カートンとした場合、柔軟性がなく対応ができない。また、折り曲げが難しいので吊下げ部を収容することができず、設備対応が必要になる。
【先行技術文献】
【特許文献】
【０００９】
【特許文献１】実開平７−１７７２０号公報
【特許文献２】実公昭４７−３６５０５号公報
【特許文献３】特開平１０−７７０２９号公報
【特許文献４】特開２００５−９６８０１号公報
【発明の概要】
【発明が解決しようとする課題】
【００１０】
しかしながら、上記特許文献１、３、４の包装箱においては、吊下げ陳列時にフックより取りはずす際に下方に引っ張られる力により吊下げ用片の根本よりカートン本体が破れてしまい、商品価値が消失してしまうという問題に対応できないものである。
【００１１】
また、特許文献２等のように、吊下げを容易にするために吊り穴上部に切り欠きを設けたカートンも周知であるが、陳列時や取り外し時に意図せずフックから脱落し商品を破損する問題を解消できないものである。
【００１２】
本発明は、上記問題を解決するため、簡単に作成、特別な設備対応の必要がなく生産でき、輸送時や保管時に邪魔にならず、しかも陳列時の箱の破損や脱落を防止できる、包装箱を提供するものである。
【課題を解決するための手段】
【００１３】
第１の発明は、複数の側面と、糊代と、いずれかの側面から延出した天面と、底面を備えた包装箱であって、
側面及び天面間の折り曲げ罫線から当該側面に設けられた易破断部によって切り起し可能な吊下げ片を備え、
該吊下げ片は吊り穴から外側に向けて破断可能な破断線を備えたことを特徴とする包装箱である。
【００１４】
第２の発明は、複数の側面と、糊代と、いずれかの側面から延出した天面と、底面を備えた包装箱であって、
天面の罫線から補強部を介して側面に設けられた易破断部によって切り起し可能な吊下げ片を備え、
吊下げ片は吊り穴から外側に向けて破断可能な破断線を備えたことを特徴とする包装箱である。
【００１５】
第３の発明は、複数の側面と、糊代と、いずれかの側面から延出した天面と、底面を備えた包装箱であって、
天面の端縁に向けて設けられた易破断部によって切り起し可能な吊下げ片を備え、
吊下げ片は吊り穴から外側に向けて破断可能な破断線を備えたことを特徴とする包装箱である。
【００１６】
本発明において、破断線はミシン線あるいはハーフカット線が好適である。
本発明においては、吊下げ片に設けた吊り穴と破断可能なミシン線、或いはハーフカット線の間に破断誘導部を設けたことが好適である。
【発明の効果】
【００１７】
第１から第３の発明によれば、フックにかけられた状態で下方に引っぱられた際に、吊り穴上部に設けた吊下げ片よりも強度の低い破断線が破断するので、吊下げ片の根元から破れて包装箱が破損するのを防止できる。
【００１８】
また、破断線をミシン線、ハーフカット等の引っ張り力に応じて切れていく線を形成することにより、破断線が途中までの破断で済むので、陳列時や取り外し時の意図せずにフックから脱落するのを防止できるという優れた効果を奏し得る。
【００１９】
本発明の包装箱によれば、破断誘導部を設けることにより、引っぱられた際にミシン線、ハーフカット線から切れるように誘導し、容易に破断されるようにできる。
【図面の簡単な説明】
【００２０】
【図１】本発明の第１実施形態に係る包装箱の全体斜視説明図である。
【図２】同包装箱の展開図である。
【図３】同包装箱の吊下げ状態の断面視した説明図である。
【図４】同包装箱の吊下げ片の拡大図である。
【図５】第１実施形態の包装箱の変形例に係る吊下げ片の拡大図である。
【図６】第２実施形態に係る包装箱の全体斜視説明図である。
【図７】同包装箱の展開図である。
【図８】同包装箱の吊下げ状態の断面視した説明図である。
【図９】第３実施形態に係る包装箱の全体斜視説明図である。
【図１０】（ａ）は、同包装箱の展開図、（ｂ）は、フラップ１４ａのない場合の貼り付け状態の説明図、（ｃ）は、フラップ１４ａのある第３実施形態の包装箱の貼り付け状態の説明図である。
【図１１】変形例２に係る吊下げ片の拡大図である。
【図１２】変形例３に係る吊下げ片の拡大図である。
【発明を実施するための形態】
【００２１】
以下、本発明の実施形態について添付図面を参照して説明する。
【００２２】
図１は、第１実施形態に係る包装箱の全体図、図２は、同包装箱の展開図、図３は、同包装箱の吊下げ状態の断面視した説明図、図４は、同包装箱の吊下げ片の拡大図である。
【００２３】
図１〜図３に示すように、第１実施形態に係る包装箱は、図１、図２に示すように、４つ（複数の例）の側面１０と、糊代１２と、いずれかの側面１０から延出した天面１４と、底面１６を備えた包装箱であって概略直方体を形成したものである。
【００２４】
側面１０及び天面１４間の折り曲げ罫線１８から当該側面１０に設けられた易破断部２０によって切り起し可能な吊下げ片２２を備えている。
【００２５】
該吊下げ片２２は吊り穴２２ａから外側に向けて破断可能な破断線２４を備えている（図４に参照）。破断線２４は切り込みと切り残しを交互の線状に形成したものである。また、吊下げ片２２の形成は、折り曲げ罫線１８から一の側面１０にかけて形成している。
【００２６】
実施形態では、吊下げ片２２の形成箇所は一の側面１０であって、展示時に奥側になる裏面１０（１０ａ）になっているが、本発明では、吊下げ片２２の位置は、吊下げ陳列時の要望や展示場所の取回しに応じて、その形成箇所を裏面１０（１０ａ）以外の左側面１０（１０ｂ）、表面１０（１０ｃ）、右側面１０（１０ｄ）のいずれにも形成できる。また、側面は４面以外の３面や５面以上の意匠性を凝らしたものとしてもよい。
【００２７】
なお、側面１０、糊代１２、天面１４、底面１６はいずれも紙製、コート紙製のものであり、ある程度の力で破断線２４を破断できる材質であれば、樹脂や樹脂と紙との積層体でもよい。
【００２８】
包装箱は、展開状態で、図２に示すように、４つの側面１０（１０ａ〜１０ｄ）が並列されて連続形成されており、各側面１０間には、側方折り曲げ罫線２６がそれぞれ形成されている。そして、一の側面１０ａの上、下の端部から天面１４と底面１６が折り曲げ罫線１８、２８を介して延設している。
【００２９】
該一の側面１０ａに隣接する側面１０ｂ（左側面）の上、下の端部には、天面１４や底面１６よりも短い折込用フラップ３０ａが延設されている。
【００３０】
また、該側面１０ｂに隣接する側面１０ｃ（表面）の下の端部には、底面１６が折り曲げ罫線２８を介して延設されている。
【００３１】
また、該側面１０ｃに隣接する側面１０ｄ（右側面）の上、下の端部には、天面１４や底面１６よりも短い折込用フラップ３０ａが折り曲げ罫線１８、２８を介して延設されている。
【００３２】
また、該側面１０ｄに隣接して該側面１０ｄとほぼ同幅の幅広い糊代１２が設けられている。糊代１２の上端部には、舌片３２が折り曲げ罫線１８を介して延設されている。
【００３３】
図２に示す、舌片３２は、吊下げ片２２を起こした時に折り曲げ罫線１８と吊下げ片の間に開く隙間を塞ぐためのものである。図３に示すように、フック３８に吊下げ時に天面１４の下面に接して塞ぐ機能を有する。
【００３４】
また、通常の糊代は、側面１０ａを延長して、１０〜２０ｍｍ程度の幅で形成され、側面１０ｄに貼り付けているが、実施形態の糊代１２は、それよりも幅広に一側面（表面）のほぼ同幅まで延長して形成して、接着剤４０をその両幅部に付けて、吊下げ片を有する側面１０ａに貼り付けている。吊下げ片２２を側面１０（１０ａ）から起こしたときに空いてしまう穴や指掛穴３４を塞ぐために、このように糊代１２を延長している。
【００３５】
一の側面１０ａには、上側の折り曲げ罫線１８から下方に、ミシン線、ハーフカット等の易破断部２０が矩形に形成されており、下方に吊下げ片２２を起こし易いように指掛穴３４が形成されている。
【００３６】
他の側面１０ｃには、開封用の破断線３６がミシン目で形成されている。開封時に、破断線３６で囲んだ開封用区画部４５を押し破って、天面１４とフラップ１４ａを掴むようにして開封する。
【００３７】
第１実施形態の包装箱の作用を説明する。
【００３８】
図１、図３に示すように、包装箱の吊下げ陳列時には、陳列箇所の棒状等のフック３８に吊下げ穴２２ａを通す。
【００３９】
包装箱は、展示時に棒状のフック３８に吊下げているが、吊下げ展示時に上記吊下げ片２２の破断線２４が破断しないため、不用意にフック３８から外れることがない。不意の力で引っ張られても、破断線２４が破断して、吊下げ片２２から包装箱が破損することがない。
【００４０】
また、吊下げ片２２が天面に対して角度θが０度、９０度の場合は、下に引っ張られたときに、垂直になろうとする力が働き、吊下げ片２２の根元から天面１４に破断が広がる等根本から破れ易い。そのため、第１実施形態では、該吊下げ片２２は吊り穴２２ａから外側に向けて破断可能なミシン線からなる破断線２４を備え（図４に参照）、この破断線２４の破断強度を吊下げ片２２の根本の破壊強度以下にすることにより、包装箱の破損を防止する。
【００４１】
仮に、不用意な力で包装箱が引かれたときに、先に破断線２４が破断しフック３８から弾性変形して吊下げ片２２が外れた後に、吊下げ片２２が弾性で元に戻るので、吊り穴２２ａにフック３８を通して、包装箱を再度、フック３８に吊下げることができる。
【００４２】
第１実施形態に係る包装箱の変形例を説明する。この変形例では、図５に示すように、吊下げ片２２の破断線２４をミシン線ではなくハーフカット（厚さ方向に切り込んで部分的に薄くしたもの）２４ａを吊り穴２２ａから先方に延ばしたものである。
【００４３】
図６は第２実施形態に係る包装箱の全体斜視説明図、図７は当該包装箱の展開図、図８は当該包装箱の吊下げ状態の断面視した説明図である。第１実施形態に係る図１〜図５と同様部分に同一符号を付する。
【００４４】
この包装箱は、４つの側面１０（１０ａ〜１０ｄ）と、糊代１２と、一の側面１０から延出した天面１４と、底面１６を備えた包装箱であり、天面の罫線１８から補強部４２を介して（補強部４２の分、罫線１８から離れて）側面１０に設けられた易破断部２０によって切り起し可能な吊下げ片２２を備えている。
【００４５】
この第２実施形態の包装箱では、第１実施形態の包装箱に比較して補強部４２を介している分、吊下げ片２２が罫線１８から遠く、フック３８にぶら下げて強く引かれて、補強部４２で破れるのを食い止めるので天面１４まで破れにくく、強度が上がる。
【００４６】
その他の構成、作用効果は第１実施形態と同様である。
【００４７】
図９は、第３実施形態に係る包装箱の全体斜視説明図である。図１０において、（ａ）は、同包装箱の展開図、（ｂ）は、フラップ１４ａのない場合の貼り付け状態の説明図、（ｃ）は、フラップ１４ａのある第３実施形態の包装箱の貼り付け状態の説明図である。
【００４８】
第３実施形態に係る包装箱は、４つの側面１０（１０ａ〜１０ｄ）と、糊代１２と、一の側面１０から延出した天面１４と、底面１６を備えた包装箱であり、天面１４の端縁（ほぼ中央部付近）に向けて設けられた易破断部２０によって切り起し可能な吊下げ片２２を備えている。
【００４９】
すなわち、図９、図１０（ａ）に示すように、天面１４の中央部から天面１４のフラップ１４ａに向けてミシン線やハーフカットの易破断部２０が切れて吊下げ片２２が起こせるように形成しておく。
【００５０】
なお、天面を形成するときに、天面１４と天面１４ｂをホットメルトで接着する場合は、フラップ１４ａを設けていないものでは図１０（ｂ）に示すように、吊下げ片２２を避けて接着剤４０ａを２箇所に塗布する必要があり、ホットメルトの接着が困難になる。これに対して、第３実施形態の包装箱によれば、フラップ１４ａを設けた場合、図１０（ｃ）に示すように、天面１４からフラップ１４ａを延長して（ほぼ天面１４と同じ長さ程度）形成させ、フラップ１４ａに吊下げ片２２に干渉しないように接着剤４０を幅方向両端に付け、天面１４とフラップ１４ａの間の罫線４６で折り返して天面１４の裏側に接着させることにより、天面形成時に、天面１４ｂとフラップ１４ａを接着剤４０ａにて１箇所ビード状に接着が可能になる。
【００５１】
また、糊代１２は、通常の糊代と同様に１０〜２０ｍｍ程度の幅としている。
第３実施形態によれば、第１、第２実施形態の包装箱に比較して小さい糊代１２が形成でき、原料の板紙の使用面積を少なくすることができる。また、吊下げ片２２を包装箱の天面中央から起こすことができるため、フック３８に吊下げた際に、包装箱が傾くことなく、きれいに陳列することが出来る。
その他の構成、作用効果は第１実施形態と同様である。
【００５２】
図１１は、第１〜第３実施形態の変形例２に係る吊下げ片の説明図である。
【００５３】
上記の実施形態１〜３において、吊下げ片２２に設けた破断線（ミシン線またはハーフカット）２４に対して、力が加わっても破断力によって破断線２４以外で破れてしまうことも考えられる。
【００５４】
そこで、図１１に示すように、変形例２では、そのような意図しない破れを防止するため吊り穴２２ａに面する箇所に切り欠いた誘導部４４を形成している。
【００５５】
吊下げ片２２に設けた吊り穴２２ａがフック３８に引っかかっていて、吊下げ片２２に力が加わった際に、その力によって誘導部４４で誘導して破断線２４が切れ始める。
【００５６】
図１２は第１〜第３実施形態の変形例３に係る吊下げ片２２の説明図である。
【００５７】
この誘導部４４について、図１２に示すように、破断線２４から誘導部４４を２つ等複数のものを形成することができる。
【００５８】
吊下げ片２２に破断線２４から誘導部４４を２つ形成されるので、吊下げ片２２への力の加わり方向が様々であっても、その加わり方向の対応する２つの誘導部４４のいずれかが破断線２４を破れるようにできる。３以上であるとさらに対応して破断線２４が破れようにできる。
【００５９】
上記のように構成したので、第１から第３実施形態によれば、フック３８にかけられた状態で下方に引っぱられた際に、吊り穴２２ａ上部に設けた破断線２４が破断し、吊下げ片２２の根元から破れることを防止できる。
【００６０】
また、破断線２４を第１〜第３実施形態のミシン線や、変形例１のハーフカットにすることにより、陳列時や取り外し時の意図しないフック３８からの脱落を防止できる。
【００６１】
また、変形例２や変形例３のように、破断誘導部を設けることにより、引っぱられた際にミシン線、ハーフカット線から切れるように誘導し、容易に破断されるようにできる。
【産業上の利用可能性】
【００６２】
本発明の包装箱は、各種製品においてフックに引っ掛けて陳列するための包装箱に利用することができる。
【符号の説明】
【００６３】
１０  側面
１２  糊代
１４  天面
１６  底面
１８  折り曲げ罫線
２０  易破断部
２２  吊下げ片
２２ａ  吊り穴
２４  破断線
２６  罫線
３２  舌片
３８  フック
４０  接着剤
４２  補強部
４４  誘導部
【図１】
2014139087.tif 000003
【図２】
2014139087.tif 000004
【図３】
2014139087.tif 000005
【図４】
2014139087.tif 000006
【図５】
2014139087.tif 000007
【図６】
2014139087.tif 000008
【図７】
2014139087.tif 000009
【図８】
2014139087.tif 000010
【図９】
2014139087.tif 000011
【図１０】
2014139087.tif 000012
【図１１】
2014139087.tif 000013
【図１２】
2014139087.tif 000014